(57)【要約】【課題】磁気検出手段の特性を考慮して、磁気発生体の存在位置を高精度に検出できる遊技用装置、磁気検出システム及び磁気存在領域特定プログラムを提供し、磁気の発生源の特定を容易にする。【解決手段】遊技用装置に対して、磁気の検出が必要な磁気検出領域を遊技機の正面側に設定し、磁気の照射を検出する磁気検出手段を、正面から見て上記磁気検出領域の外側に、検出方向を上記磁気検出領域へ向けて配設した。【選択図】    図１
2004267421.tif 000002
【特許請求の範囲】
【請求項１】
磁気の検出が必要な磁気検出領域を遊技機の正面側に設定し、
磁気の照射を検出する磁気検出手段を、正面から見て上記磁気検出領域の外側に、検出方向を上記磁気検出領域へ向けて配設した
遊技用装置。
【請求項２】
前記検出方向を、上方又は下方、若しくは斜め上方又は斜め下方に設定した
請求項１記載の遊技機。
【請求項３】
前記遊技機の遊技面に対して前記磁気検出手段を傾けて備えた
請求項１又は２記載の遊技機。
【請求項４】
遊技用装置を複数並設し、
磁気の検出が必要な検出対象部に対して、磁気検出領域を重複させて複数の磁気検出手段を上記複数の遊技用装置に配設し、
上記磁気検出手段による検出信号を受信するデータ管理装置に、
磁気検出領域が重複する２以上の磁気検出手段による検出信号を受信したときに当該重複した磁気検出領域を磁気存在領域として特定する領域特定手段と、
該特定による特定結果を出力する出力手段とを備えた
磁気検出システム。
【請求項５】
請求項４記載の磁気検出システムに使用し、
前記磁気検出手段での検出に基づいて磁気存在領域を特定する領域特定処理と、該特定による特定結果を出力する出力処理とを実行可能に構築した
磁気存在領域特定プログラム。
【発明の詳細な説明】
【０００１】
【発明の属する技術分野】
この発明は、例えばパチンコ機やパチスロ機等の遊技機を設置した遊技場で、遊技機の近傍に存在する磁気を検出するような遊技用装置、磁気検出システム、及び磁気存在領域特定プログラムに関する。
【０００２】
【従来の技術】
従来、遊技場では、パチンコ機の出玉を管理するホームコンピュータシステム、上記出玉を景品に交換する景品交換システム、貸し玉を事前にカードとして利用者に購入させるＣＲシステム、及び、遊技者が出玉を遊技場に預ければ次回来店時に貸し玉として遊技ができる貯玉システムが運用されている。上記貯玉システムは、遊技者の会員管理も実施しており、会員管理システムと呼ばれている。
【０００３】
前記遊技場では、パチンコ機の近傍に磁石（磁気発生体）が存在した場合、当該磁石の磁力によって金属製の遊技動体が正常と異なる動作をすることがあり、また磁石による不正行為の可能性も考えられる。
【０００４】
このような動作や行為を防止するため、遊技機の背部に遊技面に対して垂直方向に磁気を検出する磁気検出手段を備えた遊技機が提案されている（特許文献１参照）。
【０００５】
【特許文献１】
特許第２５４７１８５号公報
【特許文献２】
特許第３１４０１３４号公報。
【０００６】
【発明が解決しようとする課題】
しかし、背後から遊技面に対して垂直方向に磁気を検出すると、役物に使用しているソレノイド用磁石や釘等の影響により、検出精度が悪くなるという問題があった。
【０００７】
また、パチンコ機の厚みの分だけ磁気検出手段と検出対象の磁気発生体（磁石）との距離が長くなり、これも検出精度が悪くなる原因となっていた。
【０００８】
加えて、前記磁気検出手段は対象の２方向に磁気検出領域が発生するため、一方の磁気検出領域を使用する予定でも他方の磁気検出領域が妨げとなっていた。すなわち、遊技場では通常１つの島に対して、横並びの複数のパチンコ機が背中合わせに対照的に設置されている。これに対し、上述したようにパチンコ機の背部に遊技面に対して垂直方向の磁気を検出すべく磁気検出手段を備えると、検出対称の裏側にあるパチンコ機の遊技面近傍に磁石が存在すると、該磁石の磁気を検出してしまうという問題があった。
【０００９】
この発明は、上述の問題に鑑み、磁気検出手段の特性を考慮して、磁気発生体の存在位置を高精度に検出できる遊技用装置、磁気検出システム及び磁気存在領域特定プログラムを提供し、磁気の発生源の特定を容易にすることを目的とする。
【００１０】
【課題を解決するための手段】
この発明は、磁気の検出が必要な磁気検出領域を遊技機の正面側に設定し、磁気の照射を検出する磁気検出手段を、正面から見て上記磁気検出領域の外側に、検出方向を上記磁気検出領域へ向けて配設した遊技用装置であることを特徴とする。
【００１１】
遊技用装置は、貨幣やＩＣコイン（又はＩＣカード）等の価値媒体の投入を受けてパチンコ玉（遊技動体）の払い出し等の遊技に必要な出力を行うような台間機、又は、大当たり時に発光する等遊技の状態に対応した動作を実行するような台ランプ等、遊技用周辺装置で構成する、あるいは、利用者に対してパチンコ等の遊技を許容するような遊技機で構成することを含む。
【００１２】
前記磁気検出手段は、内部に磁性体を備えた磁気検出器等、磁気を検出可能な装置で構成することを含む。
前記磁気検出領域は、スタートチャッカや入賞口等を備えた遊技面、スタートチャッカ、又は入賞口等、磁気の存在が遊技に影響を与える部分に対して前記磁気検出手段が磁気を検出し得る領域で構成することを含む。
【００１３】
正面から見て上記磁気検出領域の外側に、検出方向を上記磁気検出領域へ向けて配設するには、前記磁気検出手段を、磁気検出領域に対して正面視上下方向、左右方向、若しくは斜め方向に備えることを含み、さらに、平面視左右方向若しくは斜め方向、あるいは、側面視上下方向若しくは斜め方向として備えることを含む。
【００１４】
この発明の態様として、前記検出方向を、上方又は下方、若しくは斜め上方又は斜め下方に設定することができる。
【００１５】
またこの発明の態様として、前記遊技機の遊技面に対して前記磁気検出手段を傾けて備えることができる。
【００１６】
遊技機の遊技面に対して前記磁気検出手段を傾けて備えるには、前記磁気検出手段の前記磁気検出領域の方向を、平面視斜め方向、又は側面視斜め方向として備えることを含む。
【００１７】
またこの発明は、遊技用装置を複数並設し、磁気の検出が必要な検出対象部に対して、磁気検出領域を重複させて複数の磁気検出手段を上記複数の遊技用装置に配設し、上記磁気検出手段による検出信号を受信するデータ管理装置に、磁気検出領域が重複する２以上の磁気検出手段による検出信号を受信したときに当該重複した磁気検出領域を磁気存在領域として特定する領域特定手段と、該特定による特定結果を出力する出力手段とを備えた磁気検出システムとすることができる。
【００１８】
前記データ管理装置は、パーソナルコンピュータやワークステーション等、受信した検出信号に基づいて出力手段での出力処理が実行できる装置で構成することを含む。
【００１９】
前記検出対象部は、スタートチャッカや入賞口等を備えた遊技面、スタートチャッカ、又は入賞口等、磁気の存在が遊技に影響を与える部分で構成することを含む。
前記磁気検出領域は、前記磁気検出手段が磁気を検出し得る領域とすることを含む。
【００２０】
前記磁気存在領域は、遊技機の正面側等の磁気検出領域とすることを含み、該検出存在領域の出力としては、検出対象領域にある遊技機を特定する情報（例えば遊技機ナンバや見取り図での遊技機の特定等）とすることを含む。
前記領域特定手段は、検出信号に基づいて磁気存在領域を特定する処理を実行する制御手段で構成することを含む。
【００２１】
前記出力手段は、液晶ディスプレイやＣＲＴディスプレイ等の表示装置、スピーカ等の発音装置、又はＬＡＮカード等のデータ送信装置等、磁気存在領域を出力可能な装置で構成することを含む。
【００２２】
前記遊技用装置は、台間機、台ランプ、又は遊技機、若しくはこれらの組み合わせで構成することを含む。
前記磁気検出手段は、複数の遊技用装置に１つずつ備える、あるいは各遊技用装置に複数ずつ備えることを含む。また該磁気検出手段は、台間機のみに備える、台ランプのみに備える、又は遊技機のみに備える、あるいは台間機と台ランプ、台間機と遊技機、台ランプと遊技機、若しくは台間機と台ランプと遊技機に備えることを含む。
【００２３】
前記２以上の磁気検出手段による検出信号は、２以上の磁気検出手段が出力した複数の検出信号、又は、２以上の磁気検出手段による検出があったとする１の検出信号で構成することを含む。後者の場合には、２以上の磁気検出手段による検出を遊技用装置で処理して１の検出信号を出力する構成とすることを含む。
【００２４】
またこの発明は、前記磁気検出システムに使用し、前記磁気検出手段での検出に基づいて磁気存在領域を特定する領域特定処理と、該特定による特定結果を出力する出力処理とを実行可能に構築した磁気存在領域特定プログラムとすることができる。
【００２５】
【発明の効果】
この発明により、磁気を検出する目的領域以外の磁気を検出してしまう誤認を防止し、信頼性の高い磁気検出を行うことができる。
【００２６】
【発明の実施の形態】
この発明の一実施の形態を以下図面に基づいて説明する。
まず、図１に示す遊技監視システム（磁気検出位置特定システム）１のシステム構成図と共に、パチンコホール等の遊技娯楽施設に構築される遊技監視システム１について説明する。
【００２７】
該遊技監視システム１は、データ管理装置１３、記録媒体販売機１４、遊技媒体精算機１５、及び台間機１６を、ケーブル１７を介して通信可能に接続しており、上記台間機１６には遊技機１９を電気的に接続している。
なお、ケーブル１７と各装置（１３，１４，１５，１６，１９）は、通信を中継するハブ（図示せず）を介して接続している。
【００２８】
前記データ管理装置１３はコンピュータで構成しており、具体的には、キーボードとマウス（入力装置）、ＣＲＴモニタ（表示装置）、ＣＤ−ＲＯＭドライブ（記録媒体読込装置）、ＦＤドライブ（記録媒体読書装置）、ハードディスク（記憶装置）、ＬＡＮボード（通信装置）、及びＣＰＵ（制御装置）を備えている。また、上記ハードディスク内には、ＣＤ−ＲＯＭ（記録媒体）１２（図１）からのインストールにより、近くに磁気が存在する遊技機を特定する遊技機特定プログラムを格納している。
【００２９】
該構成により、上記ハードディスク内のマスタデータベースにて、有価情報を有するプリペイドカードやＩＣコイン等の記録媒体の発行状況、及び利用状況を記憶してデータ管理している。なお、該記録媒体の発行や清算には、記録媒体販売機１４、遊技媒体精算機１５、及び台間機１６が関与する。
【００３０】
また、前記データ管理装置１３には、前記記録媒体の発行売上を監視する第三者に委託された第三者管理センタのホストコンピュータ（図示省略）を通信可能に接続している。該ホストコンピュータは監視用の処理を行い、例えば、当日のみ使用可能な当日ＩＤコードをデータ管理装置１３に配信し、該データ管理装置１３から記録媒体の発行情報を収集するといった処理を実行する。
【００３１】
前記記録媒体販売機１４は、投入された貨幣を処理（真偽判定、種別判定）する貨幣処理装置、発行する記録媒体の有価価値を利用者に決定させる決定ボタン（入力装置）、投入金額等の表示を行う液晶ディスプレイ（表示手段）、記録媒体を払い出す記録媒体払い出し装置、及びこれらを制御するＣＰＵ（制御装置）を備えている。これにより、貨幣の投入を受けて記録媒体の発行（販売）を行う。
【００３２】
前記遊技媒体精算機１５は、投入された記録媒体の有価価値を読取る記録媒体読取装置、有価価値等を表示する液晶ディスプレイ（表示装置）、清算するか否かを決定させる決定ボタン（入力装置）、及びこれらを制御するＣＰＵ（制御装置）で構成する。これにより、記録媒体の投入を受けて精算を行う。
【００３３】
前記台間機１６は、記録媒体の投入を受けてパチンコ玉等の遊技媒体を貸出すことができ、また左右に検出領域Ａを有する磁気センサ３５で遊技機１９近傍の磁気を検出することができる。詳細については後述する。また、各台間機１６には、島毎に連続番号を台間機ナンバとして割り与えている。
【００３４】
前記遊技機１９は、パチンコゲームを許容するパチンコ機であり、パチンコ玉（遊技媒体）の投入を受け付ける投入口、投入されたパチンコ玉を射出する射出装置、射出されたパチンコ玉が釘に跳ね返りながら落下する遊技部、スタートチャッカや入賞口にパチンコ玉が入ったことを検出するセンサ（玉検出装置）、スロットの回転表示等を行う液晶モニタ（表示装置）、及びこれらを制御するＣＰＵ（制御装置）で構成する。各遊技機１９には、島毎に連続番号を遊技機ナンバとして割り与えている。
【００３５】
以上の遊技監視システム１により、利用者は遊技機１９で遊技媒体による遊技を行うことができ、遊技に関する情報をデータ管理装置１３で監視することができる。また、遊技機１９の近傍に磁石が存在すれば、磁気センサ３５でこれを検出することができる。
【００３６】
なお、上述の遊技娯楽施設において、複数の台間機１６と対をなして隣設される各遊技機１９には、パチンコ機対応遊技機、パチスロ機対応遊技機、現金機対応遊技機があることは、周知のとおりである。
【００３７】
次に、図２に示す台間機１６及び遊技機１９の外観説明図、及び図３に示す磁気センサ３５の説明図と共に、台間機１６の外観と磁気センサ３５の配設位置について説明する。
【００３８】
台間機１６と遊技機１９は、図示するように左右方向に交互に並べて並設しており、台間機１６には、（Ａ）の平面図に示すように、検出領域Ａ（Ａ１，Ａ２）を左右に有する磁気センサ３５を正面より少し内側に備えている。
【００３９】
該磁気センサ３５の取り付け位置の高さは、（Ｂ）の正面図に示すように、遊技機１９の遊技面１９ａが検出領域Ａ内に位置する程度の高さに取り付ける。具体的には、スタートチャッカ１９ｅ若しくは該スタートチャッカ１９ｅの上部が検出領域Ａの中心となるように位置させる。この実施形態では、図示するようにデジタル部１９ｃが検出領域Ａの中央となるように取り付け、入賞口１９ｂ，１９ｄ，１９ｆ及びアタッカ部１９ｇについても、少なくともパチンコ玉が入る入口近傍が検出領域Ａ内に位置するように構成している。なお、アタッカ部１９ｇについては、その中のＶゾーンも検出領域Ａの対象としている。
【００４０】
前記磁気センサ３５は、図３の（Ｃ）の平面図及び（Ｄ）の右側面図に示すように、外観を立方体に形成して右側部上下片に装着突起３５ａ，３５ａを備える。また、該装着突起３５ａには、ねじ止め用の装着穴３５ｂを設けている。
【００４１】
該磁気センサ３５の内部には、磁性体（図示省略）を内蔵し、磁気を引き付けて効率よく検出するように構成している。なお、該磁性体は、ホール素子で形成し、円盤又は棒体等で形成する検出面の中央に、棒状の足を垂直に装着した形状等、磁気を引き付けやすい形状に構成することが望ましい。このように形成することで、検出面及び反対面（検出面の裏面）の磁束を検出することができる。
【００４２】
このように構成した磁気センサ３５が磁気を検出可能な検出領域Ａは、図３の（Ｅ）の正面図、及び（Ｆ）の右側面図に示すように、正面及び平面から見て左右方向に、側面から見て円形に発生する。
以上の構成により、台間機１６に備えた磁気センサ３５は、遊技に影響を与える磁石の存在を的確に検出することが可能となる。
【００４３】
次に、図４の制御回路ブロック図と共に、台間機１６の制御回路について説明する。
【００４４】
台間機１６を駆動制御するＣＰＵ（制御装置）３１は、各種の制御処理、演算処理を実行する。
メモリ３２は、書込み可能なＲＯＭ、ＲＡＭで構成する。
通信インターフェース（通信装置）３３は、ケーブル１７を介して外部のデータ管理装置１３と通信する。
【００４５】
なお、該データ管理装置１３は、ＣＰＵ１３ａ、ハードディスク１３ｂ、及びその他の装置を備えており、ハードディスク１３ｂ内に格納した遊技機特定プログラム等のプログラムに従って、ＣＰＵ１３ａが各種制御を実行する。
【００４６】
Ｉ／Ｏインターフェース３４は、玉貸しスイッチ２２ａ、返却スイッチ２２ｂからの入力を受け付け、隣設する遊技機１９の受皿表示器２２ｃに対して出力する等、各回路装置に接続して入出力を可能にする。
磁気センサ３５は、水平方向左右に磁気の検出領域Ａを有しており、隣接する遊技機１９の近傍に磁石が存在すれば、該磁石の磁気をする。
【００４７】
台間機表示器（表示装置）２６は、プレーヤが利用する運用モードでは記録媒体の有効残度数を表示し、係員が利用する保守モードでは係員用の設定モードを表すデータ（例えば３桁の設定数値）を表示する。
操作スイッチ（入力装置）２７は、プレーヤが操作利用する運用モードから係員が操作利用する保守モード用に切換えることを可能にする。
【００４８】
以上の構成により、台間機１６は、ＩＣ記録媒体（価値媒体）１８の投入を受けてパチンコ玉またはメダル等の遊技媒体を貸出すことができ、遊技機１９近傍の磁気を検出することができる。磁気センサ３５で磁気を検出した場合には、ケーブル１７を介してデータ管理装置１３に検出信号を送信し、磁気を検出したことを送信することができる。
【００４９】
次に、図５に示す処理フロー図と共に、データ管理装置１３のＣＰＵ１３ａがハードディスク１３ｂ内の遊技機特定プログラムに従って実行する処理について説明する。
【００５０】
ＣＰＵ１３ａは、台間機１６から磁気が検出された検出信号を受信するまで待機する（ステップｎ１）。
検出信号（及び検出した台間機ナンバ）を受信すると、２以上の台間機１６（磁気センサ３５）から検出信号を受信しているか確認する（ステップｎ２）。
【００５１】
受信した検出信号が２以上であれば、連続した台間機ナンバが存在するか確認する（ステップｎ３）。
【００５２】
前記ステップｎ２で検出信号が１つであった場合、又は前記ステップｎ３で台間機ナンバが連続していなかった場合は、磁気が存在する遊技機１９を複数台想定して警戒要請を行う（ステップｎ４）。
【００５３】
このときの遊技機１９の想定は、検出信号を受信した台間機ナンバに対して、１０００を加算したナンバ（台間機の右隣に対応）と９９９を加算したナンバ（台間機の左隣に対応）の２つのナンバを遊技機ナンバとして警戒要請を行う。これにより、台間機１６の両隣の遊技機１９に対して警戒要請を行うことができ、遊技機１９を１台に特定できずとも、おおまかな位置を把握することができる。
【００５４】
警戒要請の手法としては、例えばＣＲＴモニタに遊技娯楽施設の平面図を線図表示し、該当する遊技機１９を赤く塗りつぶして表示する、該当する遊技機ナンバを列挙してＣＲＴモニタに表示する、あるいは音声で遊技機ナンバと警戒を要する旨を報知するといった手法を使用する。
【００５５】
前記ステップｎ３で連続ナンバが存在した場合には、連続する台間機ナンバの小さい方のナンバに１０００を加算して得た値を遊技機ナンバとして報知する（ステップｎ５）。これにより、隣り合って設置され、互いに磁気を検出した２つの台間機１６について、その間にある遊技機１９の近傍（前面側）に磁気が存在すると特定し、報知することができる。該報知により、１台の遊技機１９を確実に特定して、店員が磁気の存在を知ることができる。
【００５６】
このときの報知は、例えばＣＲＴモニタに遊技娯楽施設の平面図を黒色線図表示し、該当する遊技機１９を赤く塗りつぶして表示する、該当する遊技機ナンバを列挙してＣＲＴモニタに表示する、あるいは音声で遊技機ナンバと磁気が存在する旨を報知するといった手法を使用する。またこの場合、磁気が検出されなくなっても、一定期間は当該遊技機１９を赤線で表示すれば、検出後でも磁気が存在した遊技機１９を店員が明確に認識することができる。
【００５７】
なお、報知に加えて又は報知に替えて、磁気が存在すると特定した遊技機１９で遊技している利用者に対し、顔を中心にカメラ（静止画撮影装置）で撮影する、遊技の様子をビデオカメラ（動画撮影装置）で撮影するといった動作を行うように設定しても良い。上記カメラやビデオカメラは、遊技娯楽施設に設置する、又は台ランプに備える等、適宜に備えておくことができる。これにより、磁気が発生した理由や原因を、映像と写真、あるいは遊技者への質問等で把握することができる。
【００５８】
以上の動作により、磁気センサ３５の左右に存在する検出領域を有効に活用して正確に磁気の存在場所を検出することができる。このため、例えば図１に示した遊技機ナンバ１２０２の遊技機１９の前面に磁石４０が存在するような場合であれば、遊技娯楽施設の店員は、遊技機ナンバ１２０２の遊技機１９が、磁気の影響を受け得る状態となっていることを容易に知ることができる。これにより、店員は磁石の除去等適宜の対応を行い、正常な状態で遊技される環境を確保することができる。
【００５９】
台間機１６は、遊技機１９を新機種に変更してもそのまま使用することが多いため、磁気検出を行う上での導入コストを抑制し、低価格で導入して長期間使用することができる。
【００６０】
また、磁石の存在の報知は、検出領域Ａ（Ａ１，Ａ２）が重複する２つの磁気センサ３５が磁気を検出した場合に行うため、対象領域（検出領域Ａ１とＡ２の重複部）以外の磁気の検出を防止し、高精度に遊技機１９を特定することができる。
【００６１】
すなわち、従来であれば、図６の（Ｇ）の側面図に示すように、磁気センサ３５が遊技機１９の裏側に、検出領域Ａが前後に存在するように備えられていたため、背後側の磁気を検出してしまい、誤報の問題や確実な特定ができない問題があった。しかし、上述した実施形態により、このような問題を回避することができる。
【００６２】
また、従来は図６の（Ｈ）の正面図に示すように、背後に備えた磁気センサ３５の検出領域Ａを遊技面１９ａの中央に設定するために、ソレノイドや釘等の影響を受けて検出精度が低下していた。しかし、上述した実施形態により、遊技面１９ａに対して水平方向に向けて検出領域Ａ（Ａ１，Ａ２）の方向を設定したことで、上記ソレノイド等の影響を極力避けることができ、高精度に磁気を検出することができる。
【００６３】
なお、ステップｎ２，ｎ３，ｎ５を省略し、前記ステップｎ４で、ＣＲＴモニタに遊技娯楽施設の平面図を線図表示し、該当する遊技機１９を赤く塗りつぶして表示する際に、５０％の濃度で半透明に赤く表示する設定としても良い。この場合、重複部分は加算した濃度（１００％）で表示すれば、隣り合った台間機１６が磁気を検出した場合、その間にある遊技機１９は１００％の濃度で表示されるため、店員は磁気の存在する遊技機１９を明瞭に知ることができる。
【００６４】
また、磁気センサ３５は、図７の（Ｉ）の正面図に示すように、正面から見て水平より少し傾斜させて備えても良い。この場合は、１の遊技機１９に対して、両隣の台間機１６の磁気センサ３５による検出領域Ａ１，Ａ２が、一部重複して一部非重複（単独）する状態となる。このとき、最も磁気の影響を防止したい部分、例えばスタートチャッカ１９ｅに上記重複部分が位置するように構成すると良い。
【００６５】
これにより、磁気の存在は重複部及び非重複部を含めて広く検出しておき、最も遊技に影響を与えるスタートチャッカ１９ｅを厳重に検出することができる。すなわち、単独検出領域（非重複部分）では、磁気が存在しても遊技にそれほど影響がないため、大雑把な遊技機指定で軽く店員に注意を促し、遊技に大きな影響を与える重複検出領域（重複部分）に磁気が存在すれば、深刻な影響があるとして遊技機１９を特定して報知し、早めの警戒と適切な対処が行えるようになる。
【００６６】
このように、検出後の報知レベル（重要度）を異ならせた第１検出領域（重複検出領域）と第２検出領域（単独検出領域）という複数の検出領域を設定することで、目的（例えば警戒レベルと警告レベル）に即した利便性の高い磁気検出システムを構築することができる。
【００６７】
また、このように報知レベルを異ならせた複数の検出領域を設定する方法としては、検出領域の広さや指向性が異なる複数の磁気センサ３５を使用することもできる。この場合、検出領域の広い磁気センサ３５を警戒レベル用に設定し、検出領域の狭い磁気センサ３５を警告レベル用に設定すると良い。
【００６８】
また、前記磁気センサ３５は、図７の（Ｊ）の正面図に示すように、台間機１６ではなく遊技機１９の正面側部内側に備えても良い。これにより、台間機１６ではなく遊技機１９自身が遊技機１９の近傍に存在する磁気を確実かつ正確に検出することができる。
【００６９】
この場合、検出領域Ａ１とＡ２の重複部分は、図示上中央より右側にずれているが、検出対象として重要なスタートチャッカ１９ｅは検出領域内に入るため、十分にその目的を達成することができる。図では磁気センサ３５を遊技機１９の左側部に備えているが、右側部に備えても良い。
【００７０】
また、他の実施形態として、２つある磁気センサ３５の検出領域の一方を使用する構成としても良い。この場合、図８の（Ｋ）又は（Ｌ）の正面図に示すように、台間機１６の上部又は下部に、正面視斜め方向に検出領域Ａ（Ａ１，Ａ２）が位置するように磁気センサ３５を傾斜させて装着すると良い。
【００７１】
これにより、図５と共に説明した処理を行わなくとも、磁気を検出した台間機１６の右隣にある遊技機１９を、磁気が近くに存在する遊技機１９として容易に特定することができ、データ管理装置１３で実行する処理を単純化することができる。磁気センサ３５の他方の検出領域である不要検出領域Ａ’（Ａ１’，Ａ２’）は、遊技面１９ａの外側にあるため、遊技に影響のない磁気を検出して誤認する可能性も少なく、図６と共に説明した従来タイプのように前後方向に検出領域を位置させる場合に比較して、精度が向上する。
【００７２】
このように一方の検出領域Ａを検出対象である遊技面１９ａに重ね、他方の検出領域Ａを遊技面１９ａから外す場合には、図９の平面図に示すように、検出領域Ａを横方向（幅方向）から前後に少し傾斜させることが好ましい。
【００７３】
すなわち、検出対象である遊技面１９ａに位置する検出領域Ａを前面側に突出させ、不要検出領域Ａ’（Ａ１’，Ａ２’）を遊技機１９の後方へ収めさせる。
これにより、横並びに並置された複数の遊技機１９の端部に位置する遊技機１９を除いて、検出対象の外側に位置する不要検出領域Ａ’には遊技機１９や台ランプ等が存在することとなり、該不要検出領域Ａ’には外部の磁石等が物理的に存在しえず、的確に遊技面１９ａの前方の磁気を検出することができる。
【００７４】
また、磁気センサ３５は、図１０の（Ｍ）又は（Ｎ）の正面図に示すように検出領域Ａを上下方向に向けて、遊技機１９の遊技面１９ａの上部又は下部に備えても良い。この場合も、図１１の（Ｏ）の側面図に示すように、検出領域Ａを上下方向から前後に少し傾斜させて備えることが望ましい。これにより、遊技機１９自身が的確に磁気を検出することが可能となる。
【００７５】
また、図１１の（Ｐ）の平面図に示すように、遊技機１９の上方に備えた台ランプ２０に磁気センサ３５を備えても良い。この場合、遊技機１９を新機種に変更しても、台ランプ２０はそのまま使用できるため、台間機１６に磁気センサ３５を装着するときと同様、磁気検出システムを導入して低コストで長期間使用することが可能となる。
【００７６】
また、台間機１６に上下２つの磁気センサ３５を備え付け、上部の磁気センサ３５は右下へ向けて検出領域がスタートチャッカを囲繞するように傾斜させて備え、下部の磁気センサ３５は右上へ向けて検出領域がスタートチャッカを囲繞するように傾斜させて備えても良い。
【００７７】
これにより、１台の台間機１６で右横の遊技機１９のスタートチャッカ周辺の磁気を高精度に検出することができる。すなわち、上下２つの磁気センサ３５の検出領域の重複部（すなわちスタートチャッカ周辺）に磁気が存在すると、２つの磁気センサ３５が磁気の存在を検出し、このように２つの磁気センサ３５が共に磁気を検出したときに磁気存在と判定することで、検出対象外の領域（不要検出領域）に存在する磁気による誤認を防止することができる。
【００７８】
またこの場合、最初の実施形態と同様にデータ管理装置１３で遊技機１９を特定しても良いが、台間機１６が前記判定を実行するように設定すれば、データ管理装置１３で特別な処理を行わずとも磁気が存在する遊技機１９を正確に検出することができる。
【００７９】
またこの場合、データ管理装置１３に検出結果を送信せず、台間機１６が磁気の存在を検出（重複領域での検出）したことで、遊技機１９の動作を停止させる構成とすることもできる。これにより、磁気の影響を受けた遊技を、単純構造で効果的に防止することができる。
【００８０】
また、以上に説明した各実施形態では、検出対象領域に磁気が存在すると判定又は検出した際に、パチンコ玉を射出する射出装置を動作停止するように設定しても良い。
【００８１】
該動作停止は、遊技機１９に備えた磁気センサ３５で磁気を検出した場合であれば、遊技機１９が動作停止処理を実行するように構成すればよい。
【００８２】
台間機１６又は台ランプ２０に磁気センサ３５を備え、単独で磁気を検出するように構成した場合あれば、台間機１６又は台ランプ２０が動作停止信号を遊技機１９に送信し、該動作停止信号に従って遊技機１９が動作停止する構成とすれば良い。
【００８３】
また、検出信号をデータ管理装置１３に送信して検出領域の重複部分で磁気を検出したときに磁気存在とする遊技監視システム１の場合は、データ管理装置１３が該当する遊技機１９に動作停止信号を送信し、該動作停止信号に従って遊技機１９が動作停止するように構成すればよい。
【００８４】
この発明の構成と、上述の実施形態との対応において、
この発明の磁気検出システムは、実施形態の遊技監視システム１に対応し、
以下同様に、
遊技用周辺装置は、台間機１６、台ランプ２０に対応し、
遊技用装置は、台間機１６、遊技機１９、又は台ランプ２０に対応し、
検出対象部は、入賞口１９ｂ，１９ｄ，１９ｆ、スタートチャッカ１９ｅ、及びアタッカ部１９ｇに対応し、
磁気検出手段は、磁気センサ３５に対応し、
領域特定手段は、遊技機特定プログラムを実行するＣＰＵ１３ａに対応し、
出力手段は、ＣＲＴモニタに対応し、
領域特定処理は、ステップｎ５に対応し、
出力処理は、ステップｎ５に対応し、
磁気存在領域は、遊技機１９の前面に対応し、
磁気検出領域は、検出領域Ａに対応し、
特定結果は、遊技機ナンバに対応するも、
この発明は、上述の実施形態の構成のみに限定されるものではなく、多くの実施の形態を得ることができる。
【図面の簡単な説明】
【図１】遊技監視システムのシステム構成図。
【図２】台間機及び遊技機の外観説明図。
【図３】台間機の外観と磁気センサの配設位置を示す説明図。
【図４】台間機の制御回路を示すブロック図。
【図５】データ管理装置のＣＰＵの動作を示すフローチャート。
【図６】従来の遊技機と磁気センサの説明図。
【図７】磁気センサの他の取り付け例を示す外観説明図。
【図８】磁気センサの他の取り付け例を示す外観説明図。
【図９】磁気センサの他の取り付け例を示す外観説明図。
【図１０】磁気センサの他の取り付け例を示す外観説明図。
【図１１】磁気センサの他の取り付け例を示す外観説明図。
【符号の説明】
１…遊技監視システム
１３…データ管理装置
１３ａ…ＣＰＵ
１６…台間機
１９…遊技機
１９ａ…遊技面
１９ｂ，１９ｄ，１９ｆ…入賞口
１９ｅ…スタートチャッカ
１９ｇ…アタッカ部
２０…台ランプ
３５…磁気センサ
【図１】
2004267421.tif 000003
【図２】
2004267421.tif 000004
【図３】
2004267421.tif 000005
【図４】
2004267421.tif 000006
【図５】
2004267421.tif 000007
【図６】
2004267421.tif 000008
【図７】
2004267421.tif 000009
【図８】
2004267421.tif 000010
【図９】
2004267421.tif 000011
【図１０】
2004267421.tif 000012
【図１１】
2004267421.tif 000013